(57)【要約】  本発明は、化粧製品アプリケータ(10)であって、把持部材(18)と、化粧製品を塗布するための部材(12)であって、長手方向本体(62)および複数の突出要素(63)を備える、塗布部材と、抵抗ワイヤ(54)を備える加熱要素(20)とを含み、塗布部材および加熱要素が把持部材と一体を成す、化粧製品アプリケータ(10)に関する。  加熱要素は、把持部材の軸方向端部(24)から延在する管状金属シース(38)を備え、抵抗ワイヤ(54)が、前記シースの内側に配置され、前記シースの内壁と熱接触している。塗布部材の本体(62)が、把持部材の軸方向端部(24)から、管状金属シース(38)に平行に、またはそれと同軸に延在する。
2018514305.tif 000002
【特許請求の範囲】
【請求項１】
化粧製品アプリケータ(10、110)用の加熱支持体(14、114)であって、
-  把持部材(18、118)と、
-  抵抗ワイヤ(54)を備える加熱要素(20)であって、前記把持部材から第1の長手方向軸に沿って延在する、加熱要素と
を備え、
-  前記加熱要素がさらに金属シース(38、44)を備え、前記抵抗ワイヤ(54)が、前記金属シースの内側に内壁と熱接触して配置されること、および
-  前記加熱要素が、ケラチン繊維上に化粧製品を塗布するための部材(12、112)に組み立てられることが可能であること
を特徴とする、加熱支持体(14、114)。
【請求項２】
前記把持部材(18、118)が、前記管状金属シース(38)の軸方向端部(42)上にモールドされた熱可塑性材料(22、132)から形成される部分(24、124)を備える、請求項1に記載の加熱支持体。
【請求項３】
前記加熱要素(20)がさらに、前記管状金属シースの内側に配置されたロッド(52)を備え、前記抵抗ワイヤ(54)が前記ロッドに巻き付けられる、請求項1または請求項2に記載の加熱支持体。
【請求項４】
前記加熱要素がさらに、前記管状金属シースの内側に配置された温度センサ(60)を備える、請求項1から3のいずれか一項に記載の加熱支持体。
【請求項５】
前記加熱要素(20)が、前記把持要素(18、118)内に収容されるとともに前記抵抗ワイヤ(54)に接続された、電気エネルギー源を備える、請求項1から4のいずれか一項に記載の加熱支持体。
【請求項６】
前記把持部材が、前記加熱要素(20)の前記第1の長手方向軸に平行な実質的に長手の方向に従って、好ましくは前記第1の長手方向軸と同軸の方向に沿って、延在することを特徴とする、請求項1から5のいずれか一項に記載の加熱支持体。
【請求項７】
ケラチン繊維上、特に睫毛または眉毛上の化粧製品用の塗布部材(12、112)であって、
-  実質的に第2の軸に沿って配置された、細長い形状の本体(62、162)と、
-  前記本体から突出して側方に延在する、複数の塗布要素(63、163)と
を備え、
前記本体が、請求項1から6のいずれか一項に記載の加熱支持体の加熱要素のシースを受け取ることができるスリーブを形成し、前記本体がさらに、側方開口(68)を備えることを特徴とする、塗布部材(12、112)。
【請求項８】
化粧製品アプリケータ(10、110)であって、
-  請求項1から6のいずれか一項に記載の加熱支持体と、
-  前記ケラチン繊維上に化粧製品を塗布するための部材(12、112)であって、実質的に第2の軸に沿って配置された、細長い形状をもつ本体(62、162)、および前記本体から突出して側方に延在する、複数の塗布要素(63、163)を備える、塗布部材と
を備え、
前記塗布部材が、前記加熱要素の前記金属シース(38)に組み立てられる、化粧製品アプリケータ(10、110)。
【請求項９】
前記塗布部材(12)が、請求項7に記載のものである、請求項8に記載のアプリケータ。
【請求項１０】
請求項1から8のいずれか一項に記載の加熱支持体(14、114)を作製するための方法であって、
-  好ましくはロッド(52)上に巻かれた抵抗ワイヤ(54)を、金属シースに差し込むステップと、
-  把持部材(18、118)の部分(24、124、22、132)を形成するために、前記金属シース(38)の端部(42)上に熱可塑性材料をオーバーモールドするステップと
を含む、方法。
【請求項１１】
前記抵抗ワイヤ(54)上に熱伝導性接着剤で被覆する事前ステップを含む、請求項10に記載の方法。
【請求項１２】
請求項1から6のいずれか一項に記載の加熱支持体から請求項8に記載のアプリケータ(10、110)を製造するための方法であって、前記把持部材(18、118)の端部(24、124)を、前記ケラチン繊維上に化粧製品を塗布するための部材(12、112)と組み立てるステップを含む、方法。
【発明の詳細な説明】
【技術分野】
【０００１】
本発明は、化粧製品アプリケータ用の加熱支持体であって、
-  把持部材と、
-  抵抗ワイヤを備える加熱要素であって、把持部材から第1の長手方向軸に沿って延在する、加熱要素と
を備えるタイプの、化粧製品アプリケータ用の加熱支持体に関する。
【背景技術】
【０００２】
「化粧製品」とは、本発明の意味においては、化粧製品に関する、2009年11月30日付の欧州議会および理事会の規則(EC)第1223/2009号に規定された製品を、本発明者らは意味する。
【０００３】
本発明によるアプリケータによって塗布するためのものである化粧製品は、特に、粉末、圧縮固体、または液体などの流体の形態をとる。製品は、有利には、睫毛や瞼など、ユーザのケラチン繊維上に載置されるためのものである製品である。製品は、たとえば、マスカラなどのメイクアップ製品である。
【０００４】
睫毛を湾曲および/または伸長させようと、マスカラなどのメイクアップ製品を、加熱要素を使用して塗布することが知られている。文献FR2996109は、たとえば、前述のタイプのアプリケータについて記載しており、この場合、1回の所作の中でマスカラを塗布し、睫毛をとかし、かつ加熱するように、抵抗ワイヤがブラシの突き出た要素間に配設されている。
【先行技術文献】
【特許文献】
【０００５】
【特許文献１】FR2996109
【発明の概要】
【発明が解決しようとする課題】
【０００６】
そのようなアプリケータは、加熱ワイヤをマスカラブラシに組み込む必要があり、これは、費用がかかり、実装が困難である。本発明の目的として、より少ないコストで、化粧製品、特にマスカラのそのようなアプリケータを得ることがある。
【課題を解決するための手段】
【０００７】
この趣旨で、本発明の目的として、前述のタイプの加熱支持体であって、加熱要素がさらに金属シースを備え、抵抗ワイヤが、前記シースの内側に内壁と熱接触して配置され、加熱要素が、ケラチン繊維上に化粧製品を塗布するための部材に組み立てられることが可能である、加熱支持体がある。
【０００８】
本発明のさらなる有利な態様によれば、加熱支持体は、別個にまたは技術的に可能な任意の組合せで選択される以下の特徴、
-  把持部材が、管状金属シースの軸方向端部上にモールドされた熱可塑性材料から形成される部分を備える、
-  加熱要素がさらに、管状金属シースの内側に配置されたロッドを備え、抵抗ワイヤが前記ロッドに巻き付けられる、
-  加熱要素がさらに、管状金属シースの内側に配置された温度センサを備える、
-  加熱要素が、把持部材内に収容されるとともに抵抗ワイヤに接続された、電気エネルギー源を備える、
-  把持部材が、加熱要素の第1の長手方向軸に平行な実質的に長手の方向に従って、好ましくは第1の軸と同軸の方向に沿って、延在する、
-  金属シースが管状である、
-  塗布部材が、化粧製品を塗布するための部材に、直接的に、または把持部材の媒介によって、組み立てられることが可能である、
のうちの1つまたは複数を備える。
【０００９】
本発明の目的として、ケラチン繊維、特に睫毛および瞼上への化粧製品のアプリケータ用の塗布部材であって、実質的に第2の軸に沿って配置された、細長い形状をもつ本体と、前記本体から突出して側方に延在する、複数の塗布要素とを備え、本体が、上記に定めたような加熱支持体の加熱要素のシースを受け取ることができるスリーブを形成し、本体がさらに、側方開口を備えることを特徴とする、塗布部材もある。
【００１０】
有利には、スリーブは、細長い形状の内部空洞をもつ管状であり、内部空洞の少なくとも1つの軸方向端部が開放しており、側方開口が本体の内側へのアクセスを許している。
【００１１】
本発明は、ケラチン繊維上への化粧製品のアプリケータであって、
-  加熱支持体と、
-  ケラチン繊維上に化粧製品を塗布するための部材であって、実質的に第2の軸に沿って配置された、細長い形状をもつ本体、および前記本体から突出して側方に延在する、複数の塗布要素を備える、塗布部材と
を含み、
塗布部材が、加熱要素の金属シースに組み立てられる、
アプリケータにも関する。有利には、塗布部材は、加熱要素の金属シースに、塗布部材上に組み立てられる把持部材の媒介によって、組み立てられる。
【００１２】
有利には、塗布部材は、上記に定めたようなものである。好ましくは、加熱要素のシースは、塗布部材の本体の内部空洞に差し込まれ、シースの一部分に側方開口を通じてアクセス可能である。
【００１３】
本発明はさらに、上記に記載したような加熱支持体を作製するための方法であって、以下の、
-  好ましくはロッド上に巻かれた抵抗ワイヤを、金属シースに差し込むステップと、
-  把持部材の部分を形成するために、金属シースの端部上に熱可塑性材料をオーバーモールドするステップと
を含む、方法にも関する。
【００１４】
方法は、以下の特徴、
-  抵抗ワイヤ上に熱伝導性接着剤で被覆する事前ステップ
を有することができる。
【００１５】
本発明はさらに、上記に記載したようなアプリケータを製造するための方法であって、把持部材の端部を、ケラチン繊維上に化粧製品を塗布するための部材と組み立てるステップを含む、方法にも関する。
【００１６】
本発明は、単に非制限的な例として、図面を参照して行われる以下の説明に鑑みて、より容易に理解されよう。
【図面の簡単な説明】
【００１７】
【図１】本発明の第1の実施形態によるアプリケータ、およびそのようなアプリケータ用の加熱要素の、部分分解斜視図である。
【図２】図1のアプリケータの部分長手方向断面図である。
【図３】加熱支持体が長手方向断面として見られる、本発明の第2の実施形態によるアプリケータの部分側面図である。
【発明を実施するための形態】
【００１８】
図1および図2は、本発明の第1の実施形態によるアプリケータ10の部分図を示す。図3は、本発明の第2の実施形態によるアプリケータ110の部分図を示す。アプリケータ10、110は、ユーザのケラチン繊維、特に睫毛または瞼上に、化粧製品、特にマスカラを塗布するためのものである。
【００１９】
以下の説明では、アプリケータ10および110に共通の要素は、同一参照番号によって示される。
【００２０】
アプリケータ10、110は、塗布部材、この場合はマスカラ用のブラシ12、112を備える。アプリケータ10、110は、ブラシ12、112に組み立てられた、または組み立てられるためのものである、把持装置14、114も備える。
【００２１】
把持装置14、114は、実質的に第1の軸16に沿って延在する、細長い形状を有する。把持装置14、114は特に、軸16に従って配置された、スリーブ18、118の形態を有する把持部材を備える。把持装置14、114は、ユーザのケラチン繊維、特に睫毛または眉毛を加熱することができる加熱要素20も備える。
【００２２】
スリーブ18、118は、近位部分(図示せず)および遠位部分22、122を、軸16に沿って隣接して備える。近位部分の反対側に、遠位部分22、122は遠位端24、124を備える。前記遠位端24、124は、塗布部材、この場合はブラシ12、112との組立ての手段を備える。
【００２３】
図1および図2の実施形態では、スリーブ18の遠位部分22は、部分から、特に熱可塑性材料によって形成される。遠位部分22は、軸16の周りに回転形状を有する。遠位部分22の内壁が、円筒形形状を有し、前記遠位部分22を軸16に沿って貫通する管状空洞26を画定する。
【００２４】
遠位部分22の外壁が、軸方向に遠位端24の範囲を定める肩部28を備える。前記遠位端24は、遠位部分22の残りの部分の外径未満の外径を有する。下記に記載するように、ブラシ12は、肩部28に軸方向に当接して、遠位端24上に圧力嵌合され得る。
【００２５】
図3の実施形態では、遠位部分122が、軸16に沿って配置された管130を備える。前記管130の一端が、遠位部分122の遠位端124を成すインサート132上に圧力嵌合される。インサート132は、熱可塑性材料から形成される。インサート132は、第1の軸16に平行で前記第1の軸16とは混同しない第2の軸136に従って配置された、めくら穴134を備える。めくら穴134は、アプリケータ110を形成するために、管130の外側に向かって配向され、把持装置114のブラシ112との組立てを可能にしている。
【００２６】
加熱要素20は、実質的に円筒形の形状、優先的には回転円筒形の、管状金属シース38を備える。管状金属シース38は、たとえば、ステンレス鋼から、特にステンレス鋼316から作成される。一例として、シース38は、約2mmの外径および約40mmの軸方向長さを有する。
【００２７】
図1および図2の実施形態では、シース38は、第1の軸16に沿って延在する。図3の実施形態では、シース38は、第1の軸16および第2の軸136に平行で前記第1および第2の軸とは混同しない第3の軸140に沿って延在する。
【００２８】
管状金属シース38は、近位部分42および遠位部分44を、軸16または140に沿って隣接して備える。近位部分42は、スリーブ18、118の内側に配置され、遠位部分44は、前記スリーブの遠位端24、124に対して軸方向突出部を成す。
【００２９】
管状シース38の近位端46は、開放している。前記シース38の遠位端48は、優先的には閉鎖している。シース38は特に、深絞りという方法を通じて製造され、またはその遠位端48にシャッタが設けられた開管から作成される。あるいは、遠位端は開放していてもよい。
【００３０】
図1および図2の実施形態では、シース38の近位部分42が、スリーブ18の遠位部分22に差し込まれる。前記遠位部分22の管状空洞26が、シース38によって形成された管を、軸16に沿って伸長する。
【００３１】
図3の実施形態では、シース38の近位部分42が、インサート132に埋め込まれる。前記インサートの軸方向開口149が、シース38の近位端46に隣接する。開口149は、シース38の内側をスリーブ118の管130の内側と連通状態にさせる。
【００３２】
加熱要素20はさらに、抵抗要素50を備え、これは図1および図2に見ることができる。抵抗ユニット50は、図3には示されていない。
【００３３】
抵抗ユニット50は、管状金属シース38に差し込むことができるロッド52を備える。好ましくは、ロッド52は、プラスチックなどの電気的に絶縁された材料から作成される。あるいは、抵抗ユニットは、支持体52を備えていなくてもよい。
【００３４】
抵抗ユニット50はさらに、ロッド52に巻き付けられた抵抗ワイヤ54を備える。抵抗ワイヤ54は、たとえば、直径0.14mmのニクロム製である。
【００３５】
好ましくは、抵抗ワイヤ54は、ロッド52の長さ全体に巻き付けられる。好ましくは、抵抗ワイヤ54は、前記ワイヤの2つの端部56がロッド52の近位端58からスリーブ18、118内に延在するように、二重らせんの形態でロッド52に巻き付けられる。
【００３６】
ロッド52は管状金属シース38に、抵抗ワイヤ54が前記シースの内壁と熱接触するように、差し込まれる。好ましくは、ワイヤ54はシース38の前記内壁に、前記ワイヤと前記シースとの間の良好な熱伝導を可能にする接着剤を使用して接着される。
【００３７】
抵抗ユニット50はさらに、ロッド52上に配置され、シースの内壁と熱接触している温度センサ60を備える。センサ60は、たとえば、NTCサーミスタである。
【００３８】
加熱要素20はさらに、スリーブ18、118の近位部分内に収容された電力源(図示せず)を備える。抵抗ワイヤ54の端部56が、スリーブ18の管状空洞26内またはスリーブ118の管130内に延在して、前記電力源に接続され、したがって電力源はワイヤ54に給電する。好ましくは、電力源は、スリーブ18、118の近位部分の表面上に配置されたスイッチに接続される。
【００３９】
好ましくは、加熱要素20はさらに、スリーブ18、118の近位部分内に収容された電子調整装置(electronic regulation device)(図示せず)を備える。そのような電子装置は、たとえば、温度センサ60が接続される電子ボードを備える。そのような電子装置は、特に、センサ60によって測定される温度を決められた範囲に制限することを可能にする。そのような範囲は、たとえば、50℃から70℃の間に定められる。したがって、ユーザの火傷のリスクが制限される。
【００４０】
アプリケータ10、110のブラシ12、112は、実質的に直線形状の本体62、162を備える。ブラシ12、112はさらに、本体62、162から径方向外向きに延在する塗布要素を成す、複数の突出要素63、163を備える。
【００４１】
図1および図2の実施形態では、把持装置14に組み立てられたブラシ12の本体62が、第1の軸16に従って延在する。図3の実施形態では、把持装置114に組み立てられたブラシ112の本体162が、第2の軸136に従って延在する。
【００４２】
図1および図2の実施形態では、本体62がスリーブを成す。より正確には、本体62は、細長い形状の内部空洞65をもつ管状形状を有する。内部空洞65は、開放近位端64および閉鎖遠位端66を有する。内部空洞65の壁部は、シース38の遠位部分44を実質的に補完する形状を有する。近位端64の付近で、内部空洞65の前記壁部は、スリーブ18の遠位端24と相補的な形状を有する。
【００４３】
本体62は、前記本体の内側へのアクセスを許す側方開口68を備える。側方開口68は、細長い形状を有し、軸16に沿って、ブラシ12の長さの好ましくは少なくとも50%にわたって、より優先的には少なくとも75%にわたって延在する。幅の点では、側方開口68は、好ましくは、軸16の周りの10°から350°の間の角度部分にわたって延在する。突出要素63が、側方開口68の周りに、好ましくは前記開口の周縁部近くに配置される。言い換えれば、側方開口は、実質的に、塗布要素の脚部のところに位置付けられる。
【００４４】
図3の実施形態では、本体162が中実形状を有する。前記本体の近位部分170が、スリーブ118のめくら穴134に実質的に相補的な形状を有する。
【００４５】
前記本体の遠位部分172は、シース38の遠位部分44の長さに近い長さを有する。前記遠位部分172上に突出要素163が配置される。好ましくは、本体162の遠位部分172は、シース38の遠位部分44との、特に遠位端48との組立ての手段174を備える。組立ての手段174は、たとえば、シース38の遠位端48上にぴったり重なるキャップの形状を有する。
【００４６】
有利には、ブラシ12、112によって成される塗布部材は、エラストマー材料で作成される。
【００４７】
ここで、把持装置14、114、およびアプリケータ10、110を製造するための方法について説明する。
【００４８】
最初に、加熱要素20の金属シース38上にスリーブ18、118の遠位端24、124がモールドされる。図1および図2の実施形態では、前記スリーブ18の近位部分の方向に延在する管状空洞26を配置することによって、シース38の近位部分42上にスリーブ18の遠位部分22がモールドされる。図3の実施形態では、めくら穴134および軸方向開口149を配置することによって、シース38の近位部分42上にインサート132がモールドされる。
【００４９】
そのようなモールドするステップにより、シース38とスリーブ18、118の遠位端24、124との間の優れた密閉をもたらすことが可能になる。特に、モールドすることにより、ワイヤ54の電気接続に損傷を与える、またはスリーブの細菌汚染を発生させるおそれのある、使用中の化粧用組成物のスリーブ18、118の内側への侵入を、防ぐことが可能になる。
【００５０】
方法の第2のステップでは、上記に記載した抵抗ユニット50が、スリーブ18の管状空洞26またはインサート132の軸方向開口149を経由して、かつ前記シース38の近位端46を経由して、シース38に差し込まれる。好ましくは、ロッド52および前記ロッド上に巻かれたワイヤ54は、シース38に差し込まれる前に、接着剤で被覆される。図3の実施形態では、スリーブ118の遠位部分122の管130が次いで、インサート132上に圧力嵌合され、前記インサートに固定される。
【００５１】
抵抗ワイヤ54の端部56が、スリーブ18の遠位部分22の管状空洞26内に、またはスリーブ118の遠位部分122の管130内に配置される。
【００５２】
一実施形態によれば、スリーブ18、118を形成するために、前記スリーブ18、118の遠位部分22、122が次いで、近位部分に接続される。スリーブのそのような近位部分は、電力源、および場合によっては電子調整装置を備える。抵抗ワイヤ54の端部56が、電力源に接続され、センサ60が、場合によっては、電子調整装置に接続される。
【００５３】
別の実施形態によれば、スリーブ18、118の近位部分は、遠位部分22または管130付きの部分から形成される。電力源、および場合によっては電子調整装置は、抵抗ユニット50をシース38に差し込んだ後に、前記近位部分内に追加される。
【００５４】
かくして、把持装置14、114が得られる。
【００５５】
把持装置14、114からアプリケータ10、110を得るために、次いで、前記把持装置にブラシ12、112が組み立てられる。図1および図2の実施形態では、ブラシ12の本体62が、シース38の遠位部分44上、およびスリーブ18の遠位端24上に、前記本体62の近位端64が前記スリーブ18の肩部28に当接するまで、ねじ込まれる。したがって、シース38の遠位部分44は、ブラシ12の側方開口68を通じてアクセスされ得るゾーンを除き、覆われる。
【００５６】
図3の実施形態では、本体162の近位部分170が、インサート132のめくら穴134に差し込まれる。好ましくは、前記本体の遠位部分172が、シース38の遠位部分44に組み立てられる。したがって、本体162は、シース38の遠位部分44に平行に、前記遠位部分44と一体を成して配置される。前記遠位部分44は、ブラシ112とは反対の側で、側方からアクセスされ得る。
【００５７】
ブラシ12、112はたとえば、把持装置14、114に、接着、溶接、または圧着によって固定される。かくして、アプリケータ10、110が得られる。
【００５８】
アプリケータ10、110を製造するこの方法によれば、ブラシ12、112は把持装置14、114に、方法の最終ステップにおいて組み立てられる。したがって、把持装置14、114、すなわちブラシ12、112のないアプリケータ10、110を、大量に製造することが可能である。次いで、各把持装置14、114に、所望の用途に従っていくつかの異なるモデルの中から選択されたブラシ12、112が追加される。したがって、同一バッチからの把持装置14、114が、異なる用途向けのいくつかのタイプのブラシ12、112に組み立てられ得る。
【００５９】
好ましくは、アプリケータ10、110は、メイクアップユニットの一部であり、マスカラなどの化粧用組成物で満たされた容器をさらに備える。知られている様式では、容器は、優先的には、ブラシ12、112が組立て位置において前記容器の内側に受け取られるように、アプリケータ10、110との組立ての手段が設けられた開口を備える。知られている様式では、容器の開口には、優先的には、アプリケータ10、110が前記容器から分離されたときにブラシ12、112から過剰な化粧用組成物を取り除くように、絞り装置(squeezing device)が設けられる。
【００６０】
そのようなメイクアップユニット内のアプリケータ10、110を使用する方法は、たとえば、次のステップを含む。ユーザがアプリケータ10、110を、スリーブ18、118によって掴む。ユーザは、ブラシ12、112を、容器内に収容された化粧用組成物に浸漬し、次いで、前記ブラシの突出要素63、163を睫毛上で動かす。したがって睫毛が、ブラシがけされ、化粧用組成物で被覆される。
【００６１】
次いで、ユーザは、スリーブ18、118の近位部分上に位置付けられたスイッチ(図示せず)を作動させる。ワイヤ54に電力が供給され、ワイヤ54が、金属シース38に熱を拡散する。シース38は、前記シースに沿った均一な温度を保証する放熱体も兼ねている。好ましくは、電子調整装置が、熱センサ60を使用して、シースの温度を決められた範囲に制限する。
【００６２】
ユーザは、加熱されたシース38を睫毛の上で動かす。熱の作用が睫毛を湾曲させ、マスカラを乾燥させる。図1および図2の実施形態では、突出要素63をブラシ12の側方開口68の周りに配置することにより、同一所作の中で睫毛を加熱し、かつブラシがけすることが可能になっている。図3の実施形態では、ユーザが、その睫毛をブラシ112の突出要素163および加熱されたシース38の遠位部分44と交互に接触させるために、指の間でスリーブ118を回転させる。
【符号の説明】
【００６３】
10  化粧製品アプリケータ
12  ブラシ、塗布部材
14  把持装置、加熱支持体
16  第1の軸
18  スリーブ、把持部材、把持要素
20  加熱要素
22  遠位部分、熱可塑性材料
24  遠位端、部分、軸方向端部
26  管状空洞
28  肩部
38  管状金属シース、管状シース
42  近位部分、軸方向端部
44  遠位部分、金属シース
46  近位端
48  遠位端
50  抵抗要素、抵抗ユニット
52  ロッド、支持体
54  抵抗ワイヤ
56  端部
58  近位端
60  温度センサ、熱センサ
62  長手方向本体
63  突出要素、塗布要素
64  開放近位端
65  内部空洞
66  閉鎖遠位端
68  側方開口
110  化粧製品アプリケータ
112  ブラシ、塗布部材
114  把持装置、加熱支持体
118  スリーブ、把持部材、把持要素
122  遠位部分
124  遠位端、部分、端部
130  管
132  インサート、熱可塑性材料、部分
134  めくら穴
136  第2の軸
140  第3の軸
149  軸方向開口
162  本体
163  突出要素、塗布要素
170  近位部分
172  遠位部分
174  組立ての手段
【図１】
2018514305.tif 000003
【図２】
2018514305.tif 000004
【図３】
2018514305.tif 000005
【国際調査報告】
2018514305.tif 000006
2018514305.tif 000007